(57)【要約】      （修正有）【課題】特定保守管理医療機器を含む医療機器の運用管理を効率的に行う。【解決手段】医療機関で使用する医療機器の運用管理情報、安全管理情報、及びロケーション管理情報を遠隔監視により提供する医療機器運用管理システム。医療機器に電気的な接続や改造の必要なく装着でき、医療機器特定用の固有のＩ．Ｄ．番号を備え、又、医療機器の使用状況と使用環境を監視する検知センサを備え、検知センサで取得したデータをタグ固有のＩ．Ｄ．番号とともに無線で送信する遠隔監視用アクティブ型ＲＦＩＤタグ１００ａ〜１００ｄと、ロケーション特定用の固有の無線機Ｉ．Ｄ．番号を備え、送信されるデータを受信し、アクセスポイントが受信可能な電波に変換し送信するロケーション管理用小型中継無線機３００ａ〜３００ｃと、無線ＬＡＮで受信したデータの記録を行う蓄積手段と、データの分析手段と、表示生成手段とを有する遠隔監視端末用ソフトウェアと、からなる。【選択図】図１
2013097761.tif 000002
【特許請求の範囲】
【請求項１】
医療機関において使用される医療機器の運用管理を遠隔監視によって行う医療機器運用管理システムであって、
医療機器に電気的な接続や改造を加えることなく機器筐体に装着でき、装着する医療機器特定のための固有のＩ．Ｄ．番号を備え、また、装着された医療機器の使用状況と使用環境を監視する検知センサを備え、前記検知センサで取得したデータをタグ固有のＩ．Ｄ．番号とともに無線周波により送信する遠隔監視用アクティブ型ＲＦＩＤタグと、
前記遠隔監視用アクティブ型ＲＦＩＤタグから送信されるデータを受信し、無線ＬＡＮネットワークのアクセスポイントが受信可能な電波に変換し、ロケーション特定用の固有の無線機Ｉ．Ｄ．番号を備え、遠隔監視用アクティブ型ＲＦＩＤタグからの受信電力とともに受信したデータを送信するロケーション管理用小型中継無線機と、
無線ＬＡＮネットワーク経由で受信したデータの記録を行う蓄積手段と、データの分析手段と、分析結果の表示生成手段とを有する遠隔監視端末用ソフトウェアと、
からなることを特徴とする医療機器運用管理システム。
【請求項２】
前記検知センサが受電検知のための電界強度センサであることを特徴とする請求項１に記載の医療機器運用管理システム。
【請求項３】
前記検知センサが物理的衝撃検知のための加速度センサであることを特徴とする請求項１又は請求項２に記載の医療機器運用管理システム。
【請求項４】
前記検知センサが異常温度検知のための温度センサであることを特徴とする請求項１乃至請求項３のいずれかに記載の医療機器運用管理システム。
【請求項５】
前記遠隔監視用アクティブ型ＲＦＩＤタグにはＬＥＤが設けられており、前記遠隔監視用アクティブ型ＲＦＩＤタグを医療機器に装着する際、前記ＬＥＤにより前記遠隔監視用アクティブ型ＲＦＩＤタグの装着位置を決定することを特徴とする請求項１乃至請求項４のいずれかに記載の医療機器運用管理システム。
【発明の詳細な説明】
【技術分野】
【０００１】
本発明は、既存の医療機器管理システム、及び無線ＬＡＮネットワークを利用した医療機器ロケーション検知システム等の技術向上及び品質向上に好適な医療機器運用管理システムに関する。
【背景技術】
【０００２】
平成１７年４月の改正薬事法施行により、物の安全対策だけでなく、使用時の安全対策が求められることとなり、全ての医療機関に対し、医療機器に係る安全管理のための体制作りと中央管理部門の設置が求められ、さらに平成１９年４月の改正医療法施行に伴う通知等により医療機器の安全管理のための責任者「医療機器安全管理責任者」を配置することとなり、
（１）従業者に対する医療機器の安全使用のための研修の実施
（２）医療機器の保守点検に関する計画の策定及び保守点検の適切な実施
（３）医療機器の安全使用のために必要となる情報の収集その他の医療機器の安全使用を目的とした改善のための方策の実施
が義務化された。
【０００３】
病院経営の面からは、患者の診断、治療に使用する医療機器の安全管理を徹底するために医療機器の保守点検要員の増員が必要となる一方で、医療機器を効率よく運用し、無駄な購入を避けるなどの改善を図ることが重要な課題となってきた。
【０００４】
一般的に医療機器は、一部機器を除き、集中治療室や病棟等に専用に配置されているわけではなく、患者の症状や治療方針等に応じて、必要な医療機器をベッドサイドに持ち込んで使用し、使用後は倉庫スペース等に保管されるか、ＭＥセンターにて保守管理が行なわれる。例えば、病棟単位で医療機器を保有することになると、医療機器台数の過不足が生じ、その度に医療機器の不足が発生した現場からは医療機器の増設が要求されることになる。
【０００５】
そのため、比較的規模の大きな総合病院や、心臓血管外科、脳神経外科などの専門性の高い診療科を有する医療機関では、臨床工学技士等の専門技術者で構成されるＭＥセンターや医療機器管理部門等と称される安全管理、保守管理専任部門が設置され、副作用又は機能の障害が生じた場合において、人の生命及び健康に重大な影響を与える恐れのある高度管理医療機器や特定保守管理医療機器の安全管理及び保守管理を専門に担当しながら、また、同時に医療機器の運用効率を高めるために、主として特定保守管理医療機器を集中管理し、集中治療室や病棟等からの要請に応じてこれらの機器を貸し出しし、使用後に返却された機器の保守点検や清潔管理、使用準備等の、貸出管理も合わせて行なうようになってきた。
【０００６】
しかしながら、医療機器の貸出先で患者の診断や治療が終了したとしても、ＭＥセンターでは使用状況を把握することはできず、貸し出した機器が即座に返却されることは少ない。貸し出し用の医療機器が不足したときには、ＭＥセンターから該当する貸出先に連絡するなどして、使用していない当該機器を捜索し、回収に当たっているというのが現実であり、決して運用効率が向上しているとはいえない。
【０００７】
また、医療機器使用時の安全対策のために、ＪＩＳ  Ｔ０６０１−１「医用電気機器の安全基準」やＪＩＳ  Ｔ０６０１−１−２「ＥＭＣ  規格」などに適合した医療機器に対して薬事法で製造販売承認、許可が与えられる。一方で、これらの医療機器を使用する側
の医療機関に対しては、ＪＩＳ  Ｔ１０２２「病院電気設備の安全基準」などで安全対策を整えることを求めているが、法的強制力はなく、さらには電気設備の法定点検などが十分に行われているとは言い難いのが現状である。
【０００８】
ＪＩＳ  Ｔ０６０１−１「医用電気機器の安全基準」では、医療機器使用時の電撃事故防止のために、接地端子付きの電源を使用することが求められ、医療機器（＝医用電気機器）には接地ピン付き医用３Ｐ電源プラグが採用されており、一方、ＪＩＳ  Ｔ１０２２「病院電気設備の安全基準」により、医療機関では接地端子付き医用３Ｐ電源コンセントを設備して、これに接続して使用するよう指導されている。ＭＥセンター等の安全管理部門では、医療機器自体の接地接続状態についてはテスタを使用する等して点検可能であるが、ベッドサイドの３Ｐ電源コンセントの接地接続状態の点検は、設置数も多いことから実施が困難である。
【０００９】
法定点検では接地設備の点検が義務化されているが、全てのコンセントモジュールを取り外して接地接続の点検を実施しているわけではないのが現状であり、通常見た目で３Ｐコンセントであれば、必ず接地が接続されているものと判断されてしまう。過去に、３Ｐコンセントモジュール内に接地線が通線されていなかったり、接地線が通線、接続されていたとしても、接地センタに接続されていなかったり等の事例が報告されている。また、設備の老朽化による接地端子の接触不良等も多数報告されている。
【００１０】
さらには、医療機器は貸出時の移動などで物理的な衝撃を受け続け、さらに、ベッドサイドでの使用時やＭＥセンターでの点検時に、電源プラグの頻回な抜き差しが行なわれるため、特に接地端子の破損、及び接地線の断線が発生し易いことは周知の事実である。
【００１１】
医用電気機器を安全に使用するためには、使用直前、及び使用中に接地接続を点検することのできる技術が求められてきたが、医療機器への電気的な接続や改造を伴う方法は、新たに医療機器の薬事法上の製造販売承認を取得しなければならないため、全ての医療機器に適用することは不可能であった。
【００１２】
また、医用電気機器の故障を誘発するような異常電磁環境や、移動時の物理的衝撃、使用または保管環境で異常温度に晒されるなどの環境管理は、煩雑な作業を要するために、防止対策を実行することは現実的に不可能であった。
【００１３】
医療機器管理のためのコンピュータ利用システム等が紹介されているが、例えば、特許文献１の医療機器管理システムでは、医療機器の保守点検、修理記録とともに、貸出状況を記録するためのシステムとして開示されている。
【００１４】
また、特許文献２のアクティブ型ＲＦＩＤタグを利用した使用状況の管理が可能という医療機器の保守管理システムでは、ＭＥセンターの技術担当者による保守点検記録、及び貸出管理記録のＰＤＡ用手入力、及び看護師らによる使用現場での点検及び使用状況のＰＤＡ用手入力による情報を基盤とする医療機器管理システムが開示されている。
【００１５】
さらには、アクティブ型ＲＦＩＤタグを使用したロケーション管理システムでは、位置情報の不正確さの問題があったが、特許文献３のロケーション管理システムでは、無線ＬＡＮアクセスポイントとＲＦＩＤタグ間の距離測定により、位置情報検知精度をより高める方法が開示されている。
【００１６】
また、画像診断装置等の、特定の機器に対して、特許文献４の医療機器稼動分析支援システムでは、医療機器自体が蓄積する稼動状況データを抽出し、これを分析し、個々の検査の種類等の情報を含めて稼働状況を表示するシステムが開示されている。
【特許文献１】特開２００５−３３２３３７号公報（特許４２５２９３１）
【特許文献２】特開２００８−２８７６２７号公報
【特許文献３】特開２００８−０５４３５１号公報
【特許文献４】特開２０１０−０７９９３５号公報
【発明の概要】
【発明が解決しようとする課題】
【００１７】
従来の医療機器管理システムにおいては、保守点検、修理記録や、貸出管理記録を目的としたものであるため、貸出先における使用状況の把握はできない。
【００１８】
また、従来のアクティブ型ＲＦＩＤタグを利用した医療機器管理システムにおいては、ＰＤＡにより医療機器の保守点検記録、貸出管理記録、使用状況等を用手入力する必要があるため、患者の診断や治療に専念する医療スタッフに煩雑な業務を要求することとなり、「背景技術」の項で記載したような問題に対処することはできない。
【００１９】
さらには、無線ＬＡＮネットワークを利用した医療機器の位置検索システムにおいては、医療機器の位置情報をより正確に提供することはできるものの、使用状況に関する情報は得られない。
【００２０】
また、医療機器自体に蓄積される稼働状況データを抽出、分析する医療機器稼動分析支援システムにおいては、画像診断装置等の一部大型機器を対象としたシステムであり、ＭＥセンターなどで保守管理、貸出管理する医療機器に対応することはできない。
【００２１】
すなわち、従来の医療機器管理システムを用いてもＭＥセンターにおける業務効率や医療機器の運用効率が改善される見込みはなく、さらには、法令等で要求される安全管理面での支援にはつながらない、という問題があった。
【課題を解決するための手段】
【００２２】
本発明は、上記課題を解決するためのものであり、請求項１に係る発明は、医療機関において使用される医療機器の運用管理情報、安全管理情報、及びロケーション管理情報を遠隔監視によって提供する医療機器運用管理システムであって、医療機器に電気的な接続や改造を加えることなく機器筐体に装着でき、装着する医療機器特定のための固有のＩ．Ｄ．番号を備え、また、装着された医療機器の使用状況と使用環境を監視する検知センサを備え、前記検知センサで取得したデータをタグ固有のＩ．Ｄ．番号とともに無線周波により送信する遠隔監視用アクティブ型ＲＦＩＤタグと、前記遠隔監視用アクティブ型ＲＦＩＤタグから送信されるデータを受信し、無線ＬＡＮネットワークのアクセスポイントが受信可能な電波に変換し、ロケーション特定用の固有の無線機Ｉ．Ｄ．番号を備え、遠隔監視用アクティブ型ＲＦＩＤタグからの受信電力とともに受信したデータを送信するロケーション管理用小型中継無線機と、無線ＬＡＮネットワーク経由で受信したデータの記録を行う蓄積手段と、データの分析手段と、分析結果の表示生成手段とを有する遠隔監視端末用ソフトウェアと、からなることを特徴とする。
【００２３】
また、請求項２に係る発明は、請求項１に記載の医療機器運用管理システムにおいて、前記検知センサが受電検知のための電界強度センサであることを特徴とする。
【００２４】
また、請求項３に係る発明は、請求項１又は請求項２に記載の医療機器運用管理システムにおいて、前記検知センサが物理的衝撃検知のための加速度センサであることを特徴とする。
【００２５】
また、請求項４に係る発明は、請求項１乃至請求項３のいずれかに記載の医療機器運用
管理システムにおいて、前記検知センサが異常温度検知のための温度センサであることを特徴とする。
【００２６】
また、請求項５に係る発明は、請求項１乃至請求項４のいずれかに記載の医療機器運用管理システムにおいて、前記遠隔監視用アクティブ型ＲＦＩＤタグにはＬＥＤが設けられており、前記遠隔監視用アクティブ型ＲＦＩＤタグを医療機器に装着する際、前記ＬＥＤにより前記遠隔監視用アクティブ型ＲＦＩＤタグの装着位置を決定することを特徴とする。
【発明の効果】
【００２７】
上記構成によれば、医療機器のロケーション管理情報とともに、正常稼動中、または停止中等の使用状況等の常時遠隔監視が可能となる。
【００２８】
また、医療機器使用時の安全対策に欠かすことのできない接地接続状態の常時遠隔監視が可能となる。
【００２９】
さらには、医療機器の故障を誘発するような異常な電磁環境や、異常な物理的衝撃、及び異常温度に晒された場合に、これらを警告し、点検を促すことが可能となる。
【００３０】
よって、既設の無線ＬＡＮネットワークを利用した、本医療機器運用管理システムを使用することにより、ＭＥセンターで管理する医療機器の現在地情報とともに、常時その使用状況の遠隔監視が可能となる。
【００３１】
従って、貸出用の医療機器が不足したときには、遠隔監視にて使用していない機器の瞬時探索が可能となり、その位置情報を同時に入手できるため、使用していない機器のある貸出先に容易に返却を促すことが可能となり、業務効率の向上とともに、運用効率の向上を図ることができる。
【００３２】
また、医療機器使用時の安全管理に不可欠な接地接続状態を常に監視することができ、断線等の異常発生時には即座に警告し、点検を促すため、安全管理面での質の向上を図ることができる。
【００３３】
さらには、医療機器の故障を誘発するような異常が発生したときには、警告を発し、点検を促すため、医療機器の保守管理面、及び安全管理面においても質の向上を図ることができる。
【００３４】
また、使用状況の累積履歴データより、医療機器毎の累計稼働時間とともに稼働率管理が可能となり、医療機器の運用管理面での質の向上だけでなく、資産管理面での質の向上を図ることも可能となる。
【００３５】
つまり、改正薬事法、改正医療法等で医療機関に求められている医療機器使用時の安全対策のための各種情報が、随時遠隔監視により容易に入手可能となる。
【図面の簡単な説明】
【００３６】
【図１】本医療機器運用管理システムにおけるデータ送信経路と情報処理装置（遠隔監視端末）でのデータ取得、分析、表示等の概念を説明する図である。
【図２】本発明の実施形態に係る医療機器運用管理システムで用いられる医療機器遠隔監視用アクティブ型ＲＦＩＤタグの、各種検知センサ、信号処理回路、通信回路等のブロック構成及び機能を示す図である。
【図３】電界強度センサの検知データと医療機器の状態の関係を表す図である。
【図４】医療機器遠隔監視用アクティブ型ＲＦＩＤタグの医療機器への装着方法を説明する図である。
【図５】本発明の実施形態に係る医療機器運用管理システムで用いられるデータテーブルを示す図である。
【図６】医療機器遠隔監視用アクティブ型ＲＦＩＤタグにおける検知情報の収集とデータ送信のフローチャート例を示す図である。
【図７】医療機器遠隔監視用アクティブ型ＲＦＩＤタグから無線送信されるデータ構造の一例を示す図である。
【図８】本発明の実施形態に係る医療機器運用管理システムで用いられるロケーション管理用小型中継無線機のブロック構成を示す図である。
【図９】ロケーション管理用小型中継無線機の設置例を説明する図である。
【図１０】本発明の実施形態に係る医療機器運用管理システムで用いられるデータテーブルを示す図である。
【図１１】ロケーション管理用小型中継無線機から既設無線ＬＡＮ  ネットワーク経由で送信されるデータ構造の一例を示す図である。
【図１２】情報処理装置で収集されるデータの構造例を示す図である。
【図１３】本発明の実施形態に係る医療機器運用管理システムによる、医療機器のロケーション管理情報と運用管理情報等の履歴出力例を示す図である。
【図１４】本発明の実施形態に係る医療機器運用管理システムによる各医療機器の累計稼働時間、稼働率の出力例を示す図である。
【図１５】本発明の実施形態に係る医療機器運用管理システムによる各医療機器の累計稼働時間と、それに基づき定期点検等を促すための警告出力例を示す図である。
【図１６】本発明の実施形態に係る医療機器運用管理システムによる各医療機器からの取得情報表示例を示す図である。
【発明を実施するための形態】
【００３７】
以下、本発明の実施形態について、図面を参照しつつ説明する。本実施形態に係る医療機器運用管理システムは、特に平成１７年４月に施行された改正薬事法で定義、分類された特定保守管理医療機器の安全管理、保守管理、運用管理を効果的、かつ効率的に行なうことを目的とするものであり、もって、ＭＥセンター等における臨床工学技士らによる業務を支援しようとするものである。
【００３８】
医療機器は、改正薬事法により高度管理医療機器、管理医療機器、一般医療機器に分類されており、これらの機器の中から、さらに特定保守管理医療機器、設置管理医療機器が指定されている。それぞれの定義は、
○  高度管理医療機器（旧クラス分類  IV及びIII）
医療機器であって、副作用又は機能の障害が生じた場合（適正な使用目的に従い、適正に使用された場合に限る。）において、人の生命及び健康に重大な影響を与える恐れがあることから、その適切な管理が必要なものとして、厚生労働大臣が薬事・食品衛生審議会の意見を聴いて特定するもの、と定義され、以下の機器が含まれる。
例）閉鎖循環式麻酔器、閉鎖循環式保育器、人工心肺装置、人工呼吸器、シリンジポンプ、輸液ポンプ、人工透析器、補助人工心臓装置等の生命維持管理装置、心電図、血圧等の患者情報監視装置など
○  管理医療機器（旧クラス分類  II）
高度管理医療機器以外の医療機器であって、副作用又は機能の障害が生じた場合において、人の生命及び健康に影響を与えることから、その適切な管理が必要なものとして、厚生労働大臣が薬事・食品衛生審議会の意見を聴いて指定するもの、と定義され、以下の機器が含まれる。
例）心電計、脳波計、超音波画像診断装置、など
○  一般医療機器（旧クラス分類  I）
高度管理医療機器及び管理医療機器以外の医療機器であって、副作用又は傷害が生じた場合においても、人の生命及び健康に影響を与える恐れがほとんどないものとして、厚生労働大臣が薬事・食品衛生審議会の意見を聴いて指定するもの、と定義され、以下の機器が含まれる。
例）手術台、手術用照明器、手術用顕微鏡など
○  特定保守管理医療機器
医療機器のうち、保守点検、修理その他の管理に専門的な知識及び技術を必要とすることから、その適正な管理が行わなければ疾患の診断、治療又は予防に重大な影響を与える恐れがあるものとして、厚生労働大臣が薬事・食品衛生審議会の意見を聴いて指定するもの、と定義されている。
○  設置管理医療機器
設置に当たって組立が必要な特定保守管理医療機器であって、保健衛生上の危害の発生を防止するために当該組立に係る管理が必要なものとして、厚生労働大臣が指定するもの、と定義されている。上記定義の機器のうち、医用電気機器に施される電撃に対する保護手段によって以下のとおりクラス分類される。
○  クラスI機器：基礎絶縁＋保護接地（保護接地設備が必要。接地端子付き３Ｐ電
源コンセント使用）
○  クラスII機器：基礎絶縁＋補強絶縁（使用上の制限なし。多くは接地接続がない
。）
○  内部電源機器：基礎絶縁＋内部電源（外部電源に接続する際は、クラスI又はク
ラスII機器として働くこと）
本発明の実施形態に係る医療機器運用管理システムでは、主として上記定義の高度管理医療機器、管理医療機器又は一般医療機器であって、特定保守管理医療機器に分類されるもので、かつ、電撃に対する保護手段による分類のクラスI機器に該当する
電気機器、つまり、人工呼吸器やシリンジポンプ等の生命維持管理装置、及び心電図モニターや血圧モニター等の生体情報監視装置等を主な管理対象と想定しているが、本発明の実施形態に係る医療機器運用管理システムで管理可能な機器はこれらに限らないため、以下、本発明による管理対象は医療機器全般であるものとする。
【００３９】
本発明の実施形態に係る医療機器運用管理システムを構成する遠隔監視用アクティブ型ＲＦＩＤタグ、ロケーション管理用小型中継無線機、及び遠隔監視端末用ソフトウエアとの間でのデータ送受信について説明する。
【００４０】
図１は遠隔監視用アクティブ型ＲＦＩＤタグ１００、ロケーション管理用小型中継無線機３００、既設の無線ＬＡＮアクセスポイント４００、及び遠隔監視端末用ソフトウェアをインストールした情報処理装置５００との間でのデータ送受信の概念を示す図である。医療機器に装着された遠隔監視用アクティブ型ＲＦＩＤタグ１００ａ、１００ｂ、１００ｃ、１００ｄから送信される電波は、ロケーション管理用小型中継無線機３００ａ、３００ｂ、３００ｃのいずれか、または２台以上で受信される。この受信電波には、遠隔監視用アクティブ型ＲＦＩＤタグを装着した個々の医療機器の「運用管理情報」、「安全管理情報」、「電池電圧」及び「タグＩ．Ｄ．番号」等のデータが含まれる。ロケーション管理用小型中継無線機３００ａ、３００ｂ、３００ｃは、各遠隔監視用アクティブ型ＲＦＩＤタグ１００からの受信データと共に、「無線機Ｉ．Ｄ．番号」と遠隔監視用アクティブ型ＲＦＩＤタグからの受信電波の「受信電力」データを付加し、既設の無線ＬＡＮアクセスポイントが受信可能な搬送波に乗せてこれらの信号を送信する。ロケーション管理用小型中継無線機３００から送信された電波は、既設の無線ＬＡＮアクセスポイント４００ａ、４００ｂのいずれかまたは２台以上の無線ＬＡＮアクセスポイントで受信され、有線ＬＡＮネットワークを、または無線ＬＡＮネットワークを経由し、遠隔監視端末用ソフトウェアがインストールされた情報処理装置５００で受信される。情報処理装置５００により、受信されたデータはログデータとして蓄積され、分析処理された後、情報処理装置５０
０に生成された遠隔監視画面上に、医療機器名称と設置エリアを示すロケーション管理情報とが、最新のデータ受信時刻とともに一覧表示される。
【００４１】
本発明に係る医療機器遠隔監視用アクティブ型ＲＦＩＤタグは、管理対象とする全ての医療機器に装着することによって管理を行なう。そこで、医療機器遠隔監視用アクティブ型ＲＦＩＤタグについて説明する。図２は本発明の実施形態に係る医療機器遠隔監視用アクティブ型ＲＦＩＤタグ１００のブロック構成を示す図である。
【００４２】
マイクロコンピュータ１１０は、ＣＰＵとＣＰＵ上で動作するプログラムを保持するＲＯＭとＣＰＵのワークエリアであるＲＡＭ等からなる汎用の情報処理装置である。特に、このマイクロコンピュータ１１０は、不揮発性で書き換えが不能なメモリ領域にＩ．Ｄ．番号記憶部１１１を有しており、このＩ．Ｄ．番号記憶部１１１には、個々の医療機器遠隔監視用アクティブ型ＲＦＩＤタグ１００に割り振られている唯一無二で固有のＩ．Ｄ．データを記憶している。
【００４３】
リアルタイムクロック（ＲＴＣ）１２０はシステム全体の時刻をコントロールするための時計であり、インターフェイス回路（Ｉ／Ｆ回路）１２５を介してマイクロコンピュータ１１０に接続される。
【００４４】
電界強度センサ１３０は、医療機器遠隔監視用アクティブ型ＲＦＩＤタグ１００における電界の強さを検知するセンサである。この電界強度センサ１３０で検知されたデータは、ＡＤ変換回路１３５によりデジタル（数値）化され、マイクロコンピュータ１１０に入力される。
【００４５】
ここで、電界強度センサ１３０の構成について説明する。電界強度センサ１３０は、電磁波の電界成分を検知するアンテナ１３１と、アンテナ１３１で検知された電圧変化を電界の強さに校正するアンプ１３２と、直流電圧信号に変換するＡＣ／ＤＣ変換回路１３３で構成される。アンテナ１３１は、商用電源周波数（５０Ｈｚ、６０Ｈｚ）を含む超低周波領域（数Ｈｚ〜３０ｋＨｚ程度）の受信帯域を有するアンテナである。本実施形態のアンテナ１３１は、銅箔、銅板等の２枚の導体からなる平行・平板アンテナ（不図示）で構成される。
【００４６】
アンプ１３２は、アンテナ１３１で検知された電圧の変化、つまり交流電圧信号を電界の強さに校正する回路で、ＡＣ／ＤＣ変換回路１３３で直流電圧信号に変換する。医療機器遠隔監視用アクティブ型ＲＦＩＤタグが装着される医療機器筐体金属部とアンテナ１３１間の静電結合により発生する電圧変化を、検知し、これを信号化して出力する回路である。
【００４７】
医療機器には、電磁波障害防止対策のために通常静電シールドが施されているが、医療機器の接地ピン付き３Ｐ電源プラグが、正しく接地端子付きの３Ｐ電源コンセントに差し込まれ、接地接続が確保されて初めて正常に機能する。もし、接地接続が絶たれて、静電シールドが機能しなくなると、機器内部で発生する電気エネルギーは電磁波として機器筐体から外部に放射されることになる。
【００４８】
このとき医療機器から放射される電磁波には、商用電源周波数（東日本で５０Ｈｚ、西日本では６０Ｈｚ）の電磁波が含まれる。この種の電磁波は、機器の接地が正しく接続されている場合には、電源コードや電源部周辺を除いては観測されることはない。
【００４９】
電界強度センサ１３０においては、商用電源周波数を含む超低周波領域（数Ｈｚ〜３０ｋＨｚ程度）の電磁波を受信するアンテナ１３１を備えるために、医療機器から放射され
る電磁波を検知することが可能となる。そして、その検知した電磁波の電界強度に基づいて医療機器の使用状況や接地接続状態を評価することが可能である。
【００５０】
しかも、医療機器から放射される電磁波を医療機器の筐体外部に遠隔監視用アクティブ型ＲＦＩＤタグを装着するだけで検知でき、医療機器の分解や改造等を行なう必要がないため、本発明に係る医療機器遠隔監視用アクティブ型ＲＦＩＤタグ１００は導入も運用も極めて容易である。
【００５１】
図３は、電界強度センサ１３０による検知データ、つまり検知した電界の強さ（電界強度：単位Ｖ／ｍ）と医療機器の使用状況を示す図である。図３において、縦軸の目盛りは電界強度センサ１３０で検知される電界強度値例を表す。
【００５２】
図３（Ａ）に示す範囲は、医療機器の３Ｐ電源プラグを、接地端子付きの３Ｐ電源コンセントに正しく差し込み、これを抜き取ったときにおける電界強度センサ１３０で検知される電界強度変化を表している。
【００５３】
医療機器の電源プラグがコンセントから外れているときには、通常電界強度センサ１３０で検知される電界強度は０Ｖ／ｍとなる。ところが、３Ｐ電源プラグが接地端子付きの３Ｐ電源コンセントに差し込まれた受電状態になると、電界強度センサ１３０は電源コードから放射される微弱な放射電磁波を検知する。
【００５４】
一方、図３（Ｂ）は、医療機器の３Ｐ電源プラグを接地接続のない３Ｐ電源コンセントに差し込み、これを抜き取ったときに、電界強度センサ１３０で検知される電界強度の変化を表している。医療機器の３Ｐ電源プラグが、接地接続のない３Ｐ電源コンセントに差し込まれると、医療機器の静電シールドが機能せず、電界強度センサ１３０では、ある程度強い電界強度が検知される。
【００５５】
図３（Ｃ）は、医療機器の３Ｐ電源プラグが接地端子付きの３Ｐ電源コンセントに差し込まれている最中に、人が手で触れるなどのアーチファクトが発生したときに、電界強度センサ１３０で検知される電界強度変化を表している。遠隔監視用アクティブ型ＲＦＩＤタグに手で触れる等すると瞬間的に大きな電界強度変化が発生し、電界強度センサ１３０では大きな電界強度値が検知される。しかしながら、通常これらの電界強度変化は一時的なものであり、手が離れると正常値に復帰する。大きな電界強度値が継続する場合には、医療機器設置場所の電磁環境が異常である可能性を疑わなければならず、至急医療機器設置場所の点検を行なう必要性を示すものとなる。
【００５６】
商用電源の受電検知可能な電界強度値をＥ1とし、受電検知閾値とする。また、接地接
続不良または断線の検知が可能な電界強度値をＥ2とし、接地接続不良検知閾値とする。
さらには、アーチファクト等の異常検知可能な電界強度をＥ3とし、異常検知閾値とする
。
それぞれの電界強度範囲は、以下の意味を持つ。
１．電界強度値Ｅ1Ｖ／ｍ未満：医療機器停止状態
２．電界強度値Ｅ1Ｖ／ｍ以上、Ｅ2Ｖ／ｍ未満：医療機器正常稼動状態
３．電界強度値Ｅ2Ｖ／ｍ以上：接地接続不良状態
４．電界強度値Ｅ3Ｖ／ｍ以上：アーチファクト混入、または医療機器設置場所の電磁環
境異常
上記のような電界強度センサ１３０で検知された電界強度値は、第１比較回路１７１に入力される。第１比較回路１７１では、電界強度センサ１３０で検知した電界強度値を２つの設定閾値（受電検知閾値：Ｅ1Ｖ／ｍと接地接続不良検知閾値：Ｅ2Ｖ／ｍ）と比較し、Ｅ1Ｖ／ｍ、またはＥ2Ｖ／ｍを超えたときに、あるいはＥ1Ｖ／ｍ、またはＥ2Ｖ／ｍを
下回ったときに、ＯＲ回路１７５に信号を出力する。これにより、ＯＲ回路１７５からマイクロコンピュータ１１０に強制送信信号（＝スリープ解除信号）が出力され、医療機器の使用状況変化が即座に送信される。
【００５７】
第１比較回路１７１からの出力は、ＬＥＤ制御回路１８０にも送られる。ＬＥＤ制御回路１８０では、遠隔監視用アクティブ型ＲＦＩＤタグ１００の筐体に外部からの視認が可能な状態で取り付けられた緑色ＬＥＤ１８１、黄色ＬＥＤ１８２、赤色ＬＥＤ１８３の明滅を制御する回路である。
【００５８】
ＬＥＤ制御回路１８０は、内蔵電池１６０からの給電がある限り、緑色ＬＥＤを明滅させ、医療機器遠隔監視用アクティブ型ＲＦＩＤタグが作動中であることを知らせる。また、ＬＥＤ制御回路１８０は、第１比較回路１７１から電界強度値が閾値Ｅ1Ｖ／ｍを越え
る信号を受信した場合には、黄色ＬＥＤ１８２を明滅させて、医療機器が商用電源受電中であり、正常稼動中であることを知らせる。さらには、第１比較回路１７１から電界強度値が閾値Ｅ2Ｖ／ｍを越えたときの信号を受信した場合には、黄色ＬＥＤ１８２に加えて
、赤色ＬＥＤ１８３を明滅させ、接地接続不良状態または断線状態であることを知らせる。また、電界強度閾値Ｅ2Ｖ／ｍを下回ったときの信号を受信し、Ｅ1Ｖ／ｍ未満にならない場合には、赤色ＬＥＤの明滅を停止し、黄色ＬＥＤの明滅を継続させる。さらに、電界強度値が閾値Ｅ1Ｖ／ｍ未満になったときの信号を受信した場合は、黄色ＬＥＤの明滅を
停止させ、遠隔監視用アクティブ型ＲＦＩＤタグが作動中であることを示す緑色ＬＥＤのみの明滅となる。
【００５９】
医療機器の接地ピン付き３Ｐ電源プラグが接地端子付きの３Ｐ電源コンセントに正しく差し込まれると、電界強度センサ１３０ではＥ1Ｖ／ｍ〜Ｅ2Ｖ／ｍの範囲内の電界強度が検知され、これにより第１比較回路１７１からの信号により、ＬＥＤ制御回路１８０は、緑色ＬＥＤに加えて、黄色ＬＥＤ１８２を明滅させる。一方、もし医療機器の３Ｐ電源プラグが接地接続の無い３Ｐ電源コンセントに差し込まれると、医療機器の静電シールドが働かず、電界強度センサ１３０ではＥ2Ｖ／ｍを越える電界強度が検知されて、第１比較
回路１７１からの信号により、ＬＥＤ制御回路１８０は、赤色ＬＥＤ１８３も明滅させる。
【００６０】
３軸加速度センサ１４０は、遠隔監視用アクティブ型ＲＦＩＤ  タグ１００に加わる物理的な衝撃を加速度データとして検知するセンサである。この３軸加速度センサ１４０で検知された加速度データは、ＡＤ変換回路１４５によりデジタル化され、マイクロコンピュータ１１０に入力される。
【００６１】
また、３軸加速度センサ１４０で検知された加速度データは、第２比較回路１７２にも入力される。第２比較回路１７２は、３軸加速度センサ１４０で検知された数値と、予め設定された閾値とを比較し、加速度データが閾値よりも大きい場合に、ＯＲ回路１７５に信号を出力する。すなわち、３軸加速度センサ１４０において、遠隔監視用アクティブ型ＲＦＩＤタグ１００に加えられた物理的な衝撃が閾値を越えた場合、つまり異常な物理的衝撃が加えられたことを検知した場合に、第２比較回路１７２からＯＲ回路１７５に信号が出力され、さらにＯＲ回路１７５からマイクロコンピュータ１１０に異常発生を知らせるための強制送信信号が出力される。
【００６２】
温度センサ１５０は、遠隔監視用アクティブ型ＲＦＩＤタグ１００の環境温度を検知する温度センサである。この温度センサ１５０で検知された温度データは、Ａ／Ｄ変換回路１５５によりデジタル信号化され、マイクロコンピュータ１１０に入力される。
【００６３】
また、温度センサ１５０で検知された温度データは第３比較回路１７３にも入力される
。第３比較回路１７３は、温度センサ１５０で検知された温度データと設定閾値とを比較し、温度が閾値を超えると、ＯＲ回路１７５に信号を出力する。すなわち、温度センサ１５０により、遠隔監視用アクティブ型ＲＦＩＤタグ１００の環境温度が設定閾値を超えたとき、第３比較回路１７３からＯＲ回路１７５に信号が出力され、さらにＯＲ回路１７５からマイクロコンピュータ１１０に強制送信信号が出力される。
【００６４】
電池１６０は、遠隔監視用アクティブ型ＲＦＩＤタグ１００の電源であり、ＲＴＣ、各センサ、アンプ、Ａ／Ｄ変換回路、比較回路、マイクロコンピュータ、等に電源を供給する。この電池１６０の電圧値は、Ａ／Ｄ変換回路を経由して、マイクロコンピュータ１１０に入力される。
【００６５】
無線回路１９０は、マイクロコンピュータ１１０からの指令に基づき、マイクロコンピュータ１１０から出力されるデータ群を、所定の搬送波に乗せて送信アンテナ１９１から送信する回路である。
【００６６】
なお、遠隔監視用アクティブ型ＲＦＩＤタグ１００に設けられている緑色ＬＥＤ１８１、黄色ＬＥＤ１８２、赤色ＬＥＤ１８３は、遠隔監視用アクティブ型ＲＦＩＤタグ１００を医療機器に装着する際、これらＬＥＤにより遠隔監視用アクティブ型ＲＦＩＤタグ１００の装着位置を決定するために利用される。
【００６７】
次に、上記に説明した遠隔監視用アクティブ型ＲＦＩＤタグ１００の医療機器に装着する方法について説明する。図４は、遠隔監視用アクティブ型ＲＦＩＤタグ１００を医療機器に装着を説明する図である。
【００６８】
本発明の実施形態に係る医療機器の遠隔監視用アクティブ型ＲＦＩＤタグ１００は、図４に示すように、医療機器外装に、例えば両面接着テープ等を用いて固定されるため、医療機器の改造や電気的な接続を必要とせず、新たな製造販売承認、許可の取得は不要となる。
【００６９】
遠隔監視用アクティブ型ＲＦＩＤタグ１００の医療機器への装着は、商用電源の受電検知可能な位置であることが重要となる。医療機器筐体には電源コードの導入部或いは電源部があるが、その周辺から距離（ｒ）の位置に遠隔監視用アクティブ型ＲＦＩＤタグ１００を取り付けることとする。電界強度センサ１３０が、受電検知閾値Ｅ1Ｖ／ｍを検知す
ることができる電源コード導入部からの距離を（Ｒ１）とし、接地接続不良検知閾値Ｅ2
Ｖ／ｍを検知する電源コード導入部からの距離を（Ｒ２）とすると、Ｒ1、Ｒ2、ｒの間には、Ｒ2＜ｒ＜Ｒ1の関係が成り立つ。このことは、遠隔監視用アクティブ型ＲＦＩＤタグ１００が作動中であることを示す緑色ＬＥＤ１８１と、商用電源受電中であることを示す黄色ＬＥＤ１８２が明滅することを意味するが、接地接続不良であることを示す赤色ＬＥＤ１８３は明滅しないことを意味する。
【００７０】
つまり、医療機関で本医療機器運用管理システムを利用する場合、遠隔監視用アクティブ型ＲＦＩＤタグ１００の医療機器への装着場所の探索時には、電源コードまたは電源部周辺から放射される電磁波電界強度は小さいが、ある程度以上近づけると接地接続不良検知閾値を越えてしまうので、これを避けるために、遠隔監視用アクティブ型ＲＦＩＤタグ１００の黄色ＬＥＤ１８２が明滅し、赤色ＬＥＤ１８３が明滅しない場所を探索すればよいこととなる。同一の機種では同一の装着場所を選択する。
【００７１】
遠隔監視用アクティブ型ＲＦＩＤタグ１００は、以上に説明したように装着される。
【００７２】
上記のような遠隔監視用アクティブ型ＲＦＩＤタグ１００を利用して医療機器の運用管
理を行なうため、後述する遠隔監視端末用ソフトウェアをインストールした情報処理装置（例：デスクトップ型パソコン）５００には、どのＩ．Ｄ．番号の医療機器遠隔監視用アクティブ型ＲＦＩＤタグ１００が、どの医療機器に装着されているかを記憶する手段を備えている。
【００７３】
遠隔監視用アクティブ型ＲＦＩＤ  タグ１００は、電池１６０が装填されると起動し、工場出荷時の設定により作動を開始するが、遠隔監視端末用ソフトウェアがインストールされた情報処理装置５００に生成される遠隔監視画面上で、タグＩ．Ｄ．番号を入力することにより、情報処理装置５００と遠隔監視用アクティブ型ＲＦＩＤタグ１００間での相互通信が可能となる。これにより、遠隔監視用アクティブ型ＲＦＩＤタグのリアルタイムクロックの時刻合わせを行なうが、同時に、自動信号送信間隔等の設定変更も可能である。
【００７４】
その後、特定の医療機器に、遠隔監視用アクティブ型ＲＦＩＤタグ１００を装着し、遠隔監視端末用ソフトウェアがインストールされた情報処理装置５００に生成される遠隔監視画面上で、医療機器名称、モデル番号、シリアル番号、管理番号等を入力することによって、タグＩ．Ｄ．番号と医療機器が１対１で対応、固定され、記憶される。
【００７５】
図５は、本発明の実施形態に係る医療機器運用管理システムで用いられるデータテーブルを示す図である。図５に示す当該データテーブルは、特定の医療機器と、当該特定の遠隔監視用アクティブ型ＲＦＩＤタグ１００のタグＩ．Ｄ．番号とが１対１で対応付けられたことを表す。これで、遠隔監視用アクティブ型ＲＦＩＤタグ１００は、指定された医療機器の使用状況、接地接続状態、使用環境等のデータ取得、及びデータ送信を開始する。
【００７６】
次に、上記に説明する遠隔監視用アクティブ型ＲＦＩＤタグ１００内蔵マイクロコンピュータ１１０で実行される処理について例示し、説明する。図６は、遠隔監視用アクティブ型ＲＦＩＤタグ１００内蔵のマイクロコンピュータ１１０におけるデータ処理のフローチャートを示す図である。
【００７７】
遠隔監視用アクティブ型ＲＦＩＤタグ１００が起動され、医療機器への装着後、１対１で対応、固定、記憶された後、ステップＳ１００で遠隔監視モードがスタートして、ステップＳ１０１へと移行する。
【００７８】
ステップＳ１０１では、マイクロコンピュータ１１０が、指定時刻に電界強度センサ１３０、３軸加速度センサ１４０、温度センサ１５０からの検知データを収集し、電池１６０の電圧と遠隔監視用アクティブ型ＲＦＩＤタグ１００のタグＩ．Ｄ．番号とともに、無線回路１９０で搬送波に乗せて、送信アンテナ１９１からデータを送信する。
【００７９】
その後ステップＳ１０２に移行し、マイクロコンピュータ１１０は節電のためスリープ状態となり、ステップＳ１０３で、リアルタイムクロック１２０が設定時刻までのカウントダウンを開始する。
【００８０】
ステップＳ１０３でのカウントダウン中、マイクロコンピュータ１１０はスリープ状態を維持する。リアルタイムクロック１２０で設定時刻に到達すると、マイクロコンピュータ１１０のスリープ状態は解除され、再びステップＳ１０１に移行して、電界強度センサ１３０、３軸加速度センサ１４０、温度センサ１５０から最新データを収集し、電池１６０の電圧と遠隔監視用アクティブ型ＲＦＩＤタグ１００のタグＩ．Ｄ．番号とともに、無線回路１９０、送信アンテナ１９１からデータを送信する。つまり、マイクロコンピュータ１１０は基本的にこのサイクルを繰り返すこととなる。
【００８１】
ステップＳ１０３のリアルタイムクロック１２０のカウントダウン中に、第１比較回路１７１の２つの設定閾値を縦断するイベント、または安全管理情報の各比較回路設定閾値を縦断する異常が発生すると、ステップＳ１０４に移行し、ＯＲ回路１７５から強制送信信号（スリープ解除信号）が出力され、マイクロコンピュータ１１０のスリープ状態は解除されて、ステップＳ１０１に移行し、イベント情報を含む、電界強度センサ１３０、３軸加速度センサ１４０、温度センサ１５０の検知データを収集し、電池１６０の電圧と遠隔監視用アクティブ型ＲＦＩＤタグ１００のＩ．Ｄ．番号とともに、無線回路１９０、送信アンテナ１９１からデータを送信する。
【００８２】
遠隔監視用アクティブ型ＲＦＩＤ  タグ１００のリアルタイムクロック１２０は、ＯＲ回路からは独立しているため、イベント発生時にリセットされることはなく、定時にマイクロコンピュータ１１０のスリープ状態が解除され、ステップＳ１０１へと移行する。
【００８３】
また、リアルタイムクロック１２０のカウントダウン中に複数のイベントが発生した場合、その都度マイクロコンピュータ１１０のスリープ状態が解除され、最新データ収集と送信を繰り返す。
ＯＲ回路１７５からの強制送信信号（スリープ解除信号）は、下記のイベント発生時に出力される。
１．電源受電状態の変化：    電源遮断  ⇒  受電、受電状態  ⇒  電源遮断
２．接地接続不良検知：      電界強度値がＥ2Ｖ／ｍを越えたとき
電界強度値がＥ2Ｖ／ｍを下回ったとき
３．異常な物理的衝撃検知：  設定閾値を越える衝撃を検知したとき
４．異常環境温度検知：      設定閾値を越える異常温度を検知したとき
ＯＲ回路１７５からの強制送信信号は、センサ検知信号のひとつが各比較回路の設定閾値を縦断したときに１度だけしか発せられないため、通常１イベントの発生で強制送信信号が繰り返し発信されることはない。
【００８４】
以上のように、医療機器に装着された遠隔監視用アクティブ型ＲＦＩＤタグ１００からは、図７に示すように、「電界強度」、「加速度」、「温度」、及び装着した遠隔監視用アクティブ型ＲＦＩＤタグ固有の「Ｉ．Ｄ．番号」と内蔵「電池電圧」が無線送信される。図７は、遠隔監視用アクティブ型ＲＦＩＤタグ１００から無線送信されるデータ構成の１例を示す図である。
【００８５】
上記のように、各医療機器に装着された遠隔監視用アクティブ型ＲＦＩＤタグ１００から無線送信されたデータは、先ず、施設内に設置された複数のロケーション管理用小型中継無線機３００によって受信される。本発明に係る医療機器運用管理システムにおいては、通常複数台数のロケーション管理用小型中継無線機３００からの受信情報から、遠隔監視用アクティブ型ＲＦＩＤタグ１００が装着された医療機器の現在地を示す手段を有している。
【００８６】
次に、本発明に係る医療機器運用管理システムで用いるロケーション管理用小型中継無線機３００について説明する。図８は、ロケーション管理用小型中継無線機３００のブロック構成を示す図である。図８において、Ｉ．Ｄ．番号記憶部３４０は、個々のロケーション管理用小型中継無線機に割り振られている唯一無二で固有の無線機Ｉ．Ｄ．番号を記憶する不揮発性で書き換えが不能な記憶素子で、ロケーション管理上最も重要な情報を担う。受信アンテナ３１０は遠隔監視用アクティブ型ＲＦＩＤタグ１００が送信した電波を受信するためのアンテナである。受信電力計測回路３２０は、個々の遠隔監視用アクティブ型ＲＦＩＤタグ１００から受信した電波の強さを受信電力として計測する。
【００８７】
制御回路３３０は、遠隔監視用アクティブ型ＲＦＩＤタグから受信したデータ、つまり
「タグＩ．Ｄ．番号」、「電界強度」、「加速度」、「温度」及び「電池電圧」データを受け取り、受信電力計測回路３２０で測定した「受信電力」とロケーション管理用小型中継無線機３００固有の「無線機Ｉ．Ｄ．番号」とを通信回路３５０に出力する。通信回路３５０は、全てのデータを、既設の無線ＬＡＮアクセスポイントが受信可能な搬送波に載せて、送信アンテナ３６０からデータを転送する。
【００８８】
また、本発明に係る医療機器運用管理システムでは、一般的に広く普及している無線ＬＡＮシステムの通信ネットワークを利用するため、ロケーション管理用小型中継無線機３００に関連する無線環境構築工事では、新たなＬＡＮネットワークの構築やＨＵＢの増設等を必要とせず、商用電源の供給だけで済むために、システム作成コストを大幅に削減できる、というメリットを享受することができる。
【００８９】
以上のように構成されるロケーション管理用小型中継無線機３００は、適当な空間的間隔を持って、施設内に設置される。図９は、ロケーション管理用小型中継無線機３００の設置例を示す図であり、病院建屋内フロア間取りの中で、どのようにロケーション管理用小型中継無線機３００が設置されているかを示したものである。
【００９０】
図９に示す例では、「観察室」にロケーション管理用小型中継無線機３００ａが、また「ナースステーション」にロケーション管理用小型中継無線機３００ｂが、「病室Ａ」に３００ｃが、「病室Ｂ」に３００ｄが、「病室Ｃ」に３００ｅが設置されている場合を示している。また、同一フロアに無線ＬＡＮアクセスポイント４００ａが設置されている。図９に示す例では、各医用室に１台だけロケーション管理用小型中継無線機３００を設置した例を示しているが、病床数の多いＩＣＵのような場合には、２台以上のロケーション管理用小型中継無線機３００を設置してもよいし、遠隔監視用アクティブ型ＲＦＩＤタグ１００からの電波が受信可能であれば、病室Ｄのようにロケーション管理用小型中継無線機を設置しない医用室があってもよい。
【００９１】
図９を参照して、本発明に係る医療機器運用管理システムにおける医療機器のロケーション管理情報の特定方法について説明する。例として、Ｉ．Ｄ．番号１００ａの遠隔監視用アクティブ型ＲＦＩＤタグを装着した医療機器が「観察室」内にある場合について説明する。遠隔監視用アクティブ型ＲＦＩＤタグ１００ａから送信された電波は、ロケーション管理用小型中継無線機３００ａ及び３００ｂがほぼ同時に受信する。
【００９２】
ロケーション管理用小型中継無線機３００が受信する電波の強さ、つまり受信電力は、通常距離が近いほうが大きく、遠い方が小さくなる。各ロケーション管理用小型中継無線機３００の送信データより、遠隔監視端末の画面上に、第１候補、第２候補、第３候補として、候補エリア名称とともに受信電力が表示されるため、観察者は、より大きな受信電力を示す方のロケーション情報を医療機器の現在地と判断することができる。また、第１候補、第２候補、第３候補と同時に画面上に表示されることにより、観察者は医療機器が間違いなく特定の病棟等に存在していることを確認できる。
【００９３】
ロケーション管理用小型中継無線機３００の設置情報、すなわち、どのロケーション管理用小型中継無線機３００が、どのエリアに設置されているかを、医療機器遠隔監視端末用ソフトウェアをインストールした情報処理装置５００に生成される遠隔監視端末画面上で入力することにより、ロケーション管理が可能となる。つまり、ロケーション管理用小型中継無線機３００固有の無線機Ｉ．Ｄ．番号と、設置エリア名称とを１対１で対応、固定、記憶させることにより、遠隔監視用アクティブ型ＲＦＩＤタグ１００がどのエリアにあるかを判定し、遠隔監視端末画面上で表示させることが可能となる。
【００９４】
上記のようなロケーション管理用小型中継無線機３００のロケーション情報、すなわち
、どの無線機Ｉ．Ｄ．番号のロケーション管理用小型中継無線機３００が、どのエリアに設置されているかの情報は、指定のテーブルに記憶される。図１０は、本発明の実施形態に係る医療機器運用管理システムで用いられるデータテーブルを示す図である。図１０に示すように、当該データテーブルには、ロケーション管理用小型中継無線機３００の無線機Ｉ．Ｄ．番号と、設置エリア名称とが対応付けられた形で記憶される。
【００９５】
次に、施設内各所に設置されるロケーション管理用小型中継無線機３００から無線ＬＡＮ経由で送信されてくるデータについて説明する。図１１は、ロケーション管理用小型中継無線機３００より送信されてくるデータ構成の一例を示す図である。図１１に示すように、ロケーション管理用小型中継無線機３００からは、「無線機Ｉ．Ｄ．番号」、「受信電力」、「タグＩ．Ｄ．番号」、「電界強度」、「加速度」、「温度」及び「電池電圧」データが無線送信される。これらのデータの内、「タグＩ．Ｄ．番号」、「電界強度」、「加速度」、「温度」及び「電池電圧」データは遠隔監視用アクティブ型ＲＦＩＤタグ１００から受信したデータ（転送データＤＴ）であり、「無線機Ｉ．Ｄ．番号」、「受信電力」はロケーション管理用小型中継無線機３００で付加されたデータである。また、受信電力レベルは、受信電力計測回路３２０で測定されたデータである。
【００９６】
これまで説明したように、遠隔監視用アクティブ型ＲＦＩＤタグ１００から無線送信される医療機器の使用状況を示す各センサ検知データ、電池電圧及びタグＩ．Ｄ．番号とは、ロケーション管理用小型中継無線機３００で受信された後、ロケーション管理用小型中継無線機３００の無線機Ｉ．Ｄ．番号と受信電力データが付加されて、無線ＬＡＮアクセスポイントに向けて転送される。既設の無線ＬＡＮアクセスポイント４００で受信されたデータは、有線ＬＡＮネットワークまたは無線ＬＡＮネットワークに接続された情報処理装置５００において、例えば図１２に示すようなデータ構成で受信される。
【００９７】
図１２は、遠隔監視端末用ソフトウェアがインストールされた情報処理装置５００で受信されるデータの構成例を示す図である。図１２に示すように、データには、「無線機Ｉ．Ｄ．番号」、「受信電力」、遠隔監視用アクティブ型ＲＦＩＤタグ１００の「タグＩ．Ｄ．番号」、「受信データ群（遠隔監視用アクティブ型ＲＦＩＤタグ１００の各センサ検知データと電池電圧）」及び「受信時刻」等の項目が含まれる。なお、受信電力欄の各受信電力においては、Ｘ1＞Ｘ2＞Ｘ3及びＸ4＞Ｘ5＞Ｘ6の関係を有する。
【００９８】
図１３は、タグＩ．Ｄ．番号１００ａの遠隔監視用アクティブ型ＲＦＩＤタグ１００が装着された人工呼吸器Ｎｏ．１が、時間経過とともに、施設内のどの医用室で、どのような使用状況（例：「正常稼動」中、または「停止」中）であったかを示した例である。この例では、衝撃検知の推移や、温度変化の推移、電池電圧の推移についても示されている。
【００９９】
通常、ＭＥセンターから貸し出された機器は、即座にその機器を使用する予定のベッドサイドに持ち込まれ、機器の電源プラグが所定のコンセントに差し込まれ、例えば人工呼吸器の場合、機械のセルフテスト完了後、呼吸回路の点検が行われ、かつ、呼吸回数、一回換気量等の諸設定と、警報設定等が行われて、スタンバイ状態となる。遠隔監視用アクティブ型ＲＦＩＤタグ１００は、医療機器の３Ｐ電源プラグが正しく３Ｐ電源コンセントに差し込まれた瞬間に受電状態になったことを検知し、同時に全ての検知信号を送信する。このとき「正常稼動」状態と認識される。
【０１００】
機器が患者に装着され、診断や治療が開始される。
【０１０１】
診断や治療が終了した際には、例えば人工呼吸器では、患者の自発呼吸の様子を観ながら、呼吸回路の取り外し、問題がなければ治療を終了し、人工呼吸器の電源プラグが電源
コンセントから引き抜かれ、ベッドサイドから撤去され、病室外へと持ち出される。遠隔監視用アクティブ型ＲＦＩＤタグ１００は、機器の電源プラグが電源コンセントから引き抜かれた瞬間に電源が遮断されたことを検知して、同時に全ての検知信号を送信する。このとき「停止」状態と認識される。
【０１０２】
ＭＥセンター内において「正常稼動」と示されている部分では、電源を投入しての点検や、内部電源を持つ人工呼吸器等の充電運転を行っている時間帯であるが、ＭＥセンタースタッフには、表示される医療機器の設置エリア情報により、使用状況がこれら点検作業中、充電運転中であることの判断が可能となる。
【０１０３】
次に、上記の分析処理に基づいて、各医療機器の累計稼働時間等を遠隔監視画面上に表示、出力する例について説明する。図１４は、本発明の実施形態に係る医療機器運用管理システムによって各医療機器の累計稼働時間、累計停止時間、稼働率を出力する例を示す図である。ここでの累計稼働時間は、基本的には本医療機器運用管理システム導入後の累計データとなるが、蓄積されたデータに基づいて、それぞれの医療機器が医療機関に導入されてからの累計、あるいは、それぞれの医療機器が所定の定期点検を受けたときからの累計等、選択可能である。図１４に示すような表示・出力機能によれば、臨床工学技士等が各医療機器の累計稼働時間、累計停止時間、稼働率を容易に把握することが可能となる。
【０１０４】
次に、上記の分析処理に基づいて、各医療機器の累計稼働時間と、それに基づく定期点検等の告知を表示し、出力する例について説明する。図１５は、本発明の実施形態に係る医療機器運用管理システムによって各医療機器の累計稼働時間とそれに基づく定期点検等の告知を表示、または出力する例を示す図である。
【０１０５】
図１５に示すように、それぞれの医療機器が定期点検を受けたときからの累計稼働時間を表示するよう、プログラムを選択すると、医療機器の定期点検完了時に、累計時間をリセットすることができる。
【０１０６】
そして、機種毎に予め設定した累計稼働時間（例えば、２０００時間とする等、医療機器メーカーによって指定された定期点検を行うべき稼動時間数を設定する。）を超えた場合に、図１５に示すように、「要定期点検」または「要点検」等の警告メッセージが表示される。図１５に示すような表示、出力機能によれば、臨床工学技士が必要時に確実に保守管理を実施するための一助となる。
【０１０７】
次に、上記の分析処理に基づく情報表示例を説明する。図１６は、本発明の実施形態に係る医療機器運用管理システムによって、遠隔監視端末用ソフトウェアがインストールされた情報処理装置５００の遠隔監視画面上に表示される各医療機器の使用状況とロケーション情報等を一覧表示する例を示す図である。
【０１０８】
図１６では、「医療機器使用状況（「正常稼動」、「停止」または「接地接続不良」等の情報）」、「タグＩ．Ｄ．番号（実装時には医療機器管理番号を入力する。）」、「電池電圧（Ｖ）」、「医療機器名称、及び機種名」、ロケーション管理情報の「第１候補エリア名称」と「受信電力（ｄＢｍ）」、「第２候補エリア名称」と「受信電力（ｄＢｍ）」、「第３候補エリア名称」と「受信電力（ｄＢｍ）」、「累計稼働時間」、「累計停止時間」、「稼働率」、及び最新データの「受信時刻」が同一画面上に表示された例を示す。
【０１０９】
図１６に示すような表示・出力機能によれば、臨床工学技士等が、どの医療機器がどのエリアにあるか、どのような使用状況にあるかを、いつでも一目瞭然で把握することがで
きる。
【０１１０】
また、図１６では各種医療機器の情報が混在しているが、医療機器名称、及び機種名等でソート機能を使用することにより、人工呼吸器だけを一覧表示したり、機種名を含めて一覧表示させたりできるため、貸し出し用の機器が不足した場合等に使用していない機器の現在地が簡単に確認でき、また、履歴データを閲覧することにより、停止時刻からの経過時間を確認することもでき、使用後の速やかな返却を促すなど、運用効率を高めるための新たな取り組みが可能となる。
【０１１１】
また、行方不明の機器があった場合には、管理番号を入力することにより、最後にデータを受信した時刻と、そのときの設置場所を確認することができるため、機器の捜索時に重要な情報となる。
【０１１２】
以上のように、本発明の実施形態に係る医療機器運用管理システムによれば、医療機器の運用管理情報とともに、医療機器の接地ピン付きの３Ｐ電源プラグが接地端子付きの３Ｐ電源コンセントに正しく差し込まれているか、等も含めた医療機器の安全管理情報を含め、適切な管理を遠隔監視で行なうことが可能となる。
【０１１３】
従って、本発明の実施形態に係る医療機器運用管理システムによれば、医療機器の管理を効率的に行なうことが可能となり、かつ安全管理面においてもＭＥセンター等における臨床工学技士による業務を大幅に支援することが可能となる。
【０１１４】
また、本発明の実施形態に係る医療機器運用管理システムによれば、集中治療室や病棟等での医療機器の放置を防止でき、真に必要な数の医療機器の掌握が可能となり、余分な医療機器の増設を抑制でき、資産管理上のメリットも享受できる。
【０１１５】
また、本発明の実施形態に係る医療機器運用管理システムによれば、特定保守管理医療機器等を改造することなく、システムの導入が可能となる。
【０１１６】
また、本発明の実施形態に係る医療機器運用管理システムによれば、ロケーション管理用小型中継無線機は商用電源の供給のみで利用できるため、ＬＡＮネットワークの増設やＨＵＢの増設を行なうことなくシステムの導入が可能であるため、コスト削減できる。
【符号の説明】
【０１１７】
１００、１００ａ、１００ｂ、１００ｃ、１００ｄ・・・医療機器遠隔監視用アクティブ型ＲＦＩＤタグ、１１０・・・マイクロコンピュータ、１１１・・・タグＩ．Ｄ．番号記憶部、１２０・・・リアルタイムクロック、１２５・・・インターフェイス回路、１３０・・・電界強度センサ、１３１・・・アンテナ、１３２・・アンプ、１３３・・・ＡＣ／ＤＣ変換回路、１３５・・・Ａ／Ｄ変換回路、１４０・・・３軸加速度センサ、１４５・・・Ａ／Ｄ変換回路、１５０・・・温度センサ、１５５・・・Ａ／Ｄ変換回路、１６０・・・電池、１６５・・・Ａ／Ｄ変換回路、１７１・・・第１比較回路、１７２・・・第２比較回路、１７３・・・第３比較回路、１７５・・・ＯＲ回路、１８０・・・ＬＥＤ制御回路、１８１・・・緑色ＬＥＤ、１８２・・・黄色ＬＥＤ、１８３・・・赤色ＬＥＤ、１９０・・・通信回路、１９１・・・送信アンテナ、３００、３００ａ、３００ｂ、３００ｃ・・・ロケーション管理用小型中継無線機、３１０・・・受信アンテナ、３２０・・・受信電力計測回路、３３０・・・制御回路、３４０・・・無線機Ｉ．Ｄ．番号記憶部、３５０・・・通信回路、３６０・・・送信アンテナ、４００ａ、４００ｂ、４００ｃ・・・無線ＬＡＮアクセスポイント、５００・・・情報処理装置
【図１】
2013097761.tif 000003
【図２】
2013097761.tif 000004
【図３】
2013097761.tif 000005
【図４】
2013097761.tif 000006
【図５】
2013097761.tif 000007
【図６】
2013097761.tif 000008
【図７】
2013097761.tif 000009
【図８】
2013097761.tif 000010
【図９】
2013097761.tif 000011
【図１０】
2013097761.tif 000012
【図１１】
2013097761.tif 000013
【図１２】
2013097761.tif 000014
【図１３】
2013097761.tif 000015
【図１４】
2013097761.tif 000016
【図１５】
2013097761.tif 000017
【図１６】
2013097761.tif 000018